(57)【特許請求の範囲】
【請求項１】
使用済みの内視鏡が収容されるケースまたは袋からなる複数の簡易洗浄槽と、
簡易洗浄槽内の内視鏡を洗浄するための一つの洗浄ユニットとを備え、
前記洗浄ユニットは、前記簡易洗浄槽の接続手段と一対一で接続される接続手段と、
前記簡易洗浄槽を複数同時または個別に洗浄可能なように、各簡易洗浄槽の洗浄を制御する制御手段とを有するとともに、
複数の液をそれぞれ貯留するタンクを一つずつと、
前記タンクから前記簡易洗浄槽に向けて液を給液する給液路、または前記簡易洗浄槽から前記タンクに廃液する、あるいは液を戻す排出路のうち、少なくともいずれか一つを各タンクに一つずつ有し、
前記制御手段は、複数の液の供給が重複しないように、且つ廃液及び液の戻しが重複しないように制御することを特徴とする内視鏡の簡易洗浄システム。
【請求項２】
前記内視鏡の固有情報を取得する情報取得手段を有し、
前記制御手段は、得られた固有情報に応じて、洗浄の条件を変更することを特徴とする請求項１に記載の内視鏡の簡易洗浄システム。
【請求項３】
前記簡易洗浄槽の接続手段は、内視鏡の挿通チャンネルに液を注入する構成であることを特徴とする請求項１または２に記載の内視鏡の簡易洗浄システム。
【請求項４】
使用済みの内視鏡が収容されるケースまたは袋からなる複数の簡易洗浄槽の接続手段と一対一で接続される接続手段と、
前記簡易洗浄槽を複数同時または個別に洗浄可能なように、各簡易洗浄槽の洗浄を制御する制御手段とを有するとともに、
複数の液をそれぞれ貯留するタンクを一つずつと、
前記タンクから前記簡易洗浄槽に向けて液を給液する給液路、または前記簡易洗浄槽から前記タンクに廃液する、あるいは液を戻す排出路のうち、少なくともいずれか一つを各タンクに一つずつ有し、
前記制御手段は、複数の液の供給が重複しないように、且つ廃液及び液の戻しが重複しないように制御し、
前記簡易洗浄槽内の内視鏡を洗浄することを特徴とする内視鏡の簡易洗浄用ユニット。
【発明の詳細な説明】
【技術分野】
【０００１】
本発明は、複数の内視鏡をプレ洗浄する内視鏡の簡易洗浄システム及び簡易洗浄用ユニットに関するものである。
【背景技術】
【０００２】
検査等で使用された内視鏡は、術者等の手によりベッドサイドで簡易的なプレ洗浄が施された後、専用の洗浄消毒装置によって本格的なリプロセス処理として洗浄・消毒（もしくは滅菌）などが施される。
【０００３】
ところが、プレ洗浄が不十分であったり、プレ洗浄をしたとしても、プレ洗浄からリプロセス処理までの間に時間が空いたりすると、内視鏡の外面に体液や汚物が固着して取れ難くなり、リプロセス処理を施しても洗い落とせない可能性がある。そこで、この問題の解決策として、特許文献１、２が提案されている。特許文献１、２は、洗浄槽として機能する内視鏡の搬送ケースを開示している。この搬送ケースによれば、使用済みの内視鏡を自動的且つ確実にプレ洗浄することができる。
【０００４】
一方、最近では、病院等からの依頼に応じて、内視鏡をレンタルで使用できるシステムが検討されている。このようなレンタルシステムでは、検査後、使用済みの内視鏡をレンタルセンターで回収し、回収した内視鏡をレンタルセンターの専用の設備で一括してリプロセス処理する。このようなレンタルシステムを考えた場合、病院、診療所等からレンタルセンターに内視鏡を回収することになるため、プレ洗浄からリプロセス処理の間は、ある程度の時間が掛かる。よって、このようなレンタルシステムでは、プレ洗浄をより確実に行うことが必要となる。また、複数の病院を巡回して内視鏡を回収する場合や、内視鏡検査に関わる機材が積まれ、内視鏡検査の環境が整えられた巡回健診車にレンタルシステムを適用した場合、一度に回収する電子内視鏡の量が多くなることが想定される。
【特許文献１】特許第３０３８０４０号公報
【特許文献２】特開２００７−２６０１２６号公報
【発明の開示】
【発明が解決しようとする課題】
【０００５】
しかしながら、レンタルシステムで上記特許文献１，２記載の搬送ケースを用いた場合、１度に１つの内視鏡を洗浄することしかできず、非常に効率が悪い。そこで、洗浄液や水を循環させる洗浄ユニットを備え、自動的に洗浄させることが考えられるが、一つの搬送ケースに対して一つの洗浄ユニットを必要とするので、大量の内視鏡を扱うことを考えた場合、スペースやコスト面を考慮すると、液体循環用のポンプや、電源、制御回路などが洗浄ユニットの個数分必要となり、これらをそれぞれ備えると、搬送ケース自体のコストが上昇するとともに、洗浄ユニットを保守するためのランニングコストの面でも不利となる。
【０００６】
本発明は上記事情を考慮してなされたものであり、複数の内視鏡を効率良くプレ洗浄することができる内視鏡の簡易洗浄システム及び簡易洗浄用ユニットをローコストに提供することを目的とする。
【課題を解決するための手段】
【０００７】
本発明は、使用済みの内視鏡が収容されるケースまたは袋からなる複数の簡易洗浄槽と、簡易洗浄槽内の内視鏡を洗浄するための一つの洗浄ユニットとを備え、洗浄ユニットは、簡易洗浄槽の接続手段と一対一で接続される接続手段と、前記簡易洗浄槽を複数同時または個別に洗浄可能なように、各簡易洗浄槽の洗浄を制御する制御手段とを有するとともに、複数の液をそれぞれ貯留するタンクを一つずつと、前記タンクから前記簡易洗浄槽に向けて液を給液する給液路、または前記簡易洗浄槽から前記タンクに廃液する、あるいは液を戻す排出路のうち、少なくともいずれか一つを各タンクに一つずつ有し、前記制御手段は、複数の液の供給が重複しないように、且つ廃液及び液の戻しが重複しないように制御することを特徴とする。なお、洗浄ユニットは、洗浄の他に、消毒、アルコールフラッシュ、乾燥、滅菌ガス噴射、保管液浸漬等の機能を備えていてもよい。また、簡易洗浄槽は、複数の袋、複数のケース、複数の袋とこれらをそれぞれ収容する複数のケース、複数の袋とこれらを収容する１つのケースなどの形態が含まれる。
【０００８】
なお、タンクに貯留される液は、洗浄液、水、消毒液、廃液等が少なくとも含まれる。
【０００９】
さらにまた、内視鏡の固有情報を取得する情報取得手段を有し、制御手段は、得られた固有情報に応じて、洗浄の条件を変更することが好ましい。なお、この場合、情報取得手段は、例えばＲＦＩＤタグリーダなどが用いられる。あるいは、簡易洗浄槽の接続手段は、内視鏡の挿通チャンネルに液を注入する構成であることが好ましい。なお、挿通チャンネルは、送気・送水、吸引、鉗子チャンネル等のことである。
【００１０】
本発明の内視鏡の簡易洗浄用ユニットは、使用済みの内視鏡が収容されるケースまたは袋からなる複数の簡易洗浄槽の接続手段と一対一で接続される接続手段と、前記簡易洗浄槽を複数同時または個別に洗浄可能なように、各簡易洗浄槽の洗浄を制御する制御手段とを有するとともに、複数の液をそれぞれ貯留するタンクを一つずつと、前記タンクから前記簡易洗浄槽に向けて液を給液する給液路、または前記簡易洗浄槽から前記タンクに廃液する、あるいは液を戻す排出路のうち、少なくともいずれか一つを各タンクに一つずつ有し、前記制御手段は、複数の液の供給が重複しないように、且つ廃液及び液の戻しが重複しないように制御し、簡易洗浄槽内の内視鏡を洗浄することを特徴とする。
【発明の効果】
【００１１】
本発明によれば、使用済みの内視鏡が収容されるケースまたは袋からなる複数の簡易洗浄槽と、簡易洗浄槽内の内視鏡を洗浄するための一つの洗浄ユニットとを備え、洗浄ユニットは、簡易洗浄槽の接続手段と一対一で接続される接続手段と、簡易洗浄槽を複数同時または個別に洗浄可能なように、各簡易洗浄槽の洗浄を制御する制御手段とを有するとともに、複数の液をそれぞれ貯留するタンクを一つずつと、タンクから簡易洗浄槽に向けて液を給液する給液路、または簡易洗浄槽から前記タンクに廃液する、あるいは液を戻す排出路のうち、少なくともいずれか一つを各タンクに一つずつ有し、制御手段は、複数の液の供給が重複しないように、且つ廃液及び液の戻しが重複しないように制御をしているので、複数の内視鏡を効率良くプレ洗浄することが可能であり、また洗浄ユニットの部品点数を低減し、ローコスト化を図ることができる。
【発明を実施するための最良の形態】
【００１２】
図１において、本発明の内視鏡の簡易洗浄システム１は、複数のケース３と、これらのケース３内の内視鏡２に対して洗浄、消毒、乾燥などの各種処理を施す１つの洗浄消毒ユニット４とを備える。
【００１３】
図２に示すように、ケース３は、使用済みの内視鏡２を収容する。内視鏡２には、それぞれの固有情報が記憶されたＲＦＩＤ（Ｒａｄｉｏ Ｆｒｅｑｕｅｎｃｙ Ｉｄｅｎｔｉｆｉｃａｔｉｏｎ）タグ５が埋め込まれている。このケース３は、側面に接続ポート６を備える。洗浄消毒ユニット４は、ケース３の接続ポート６と一対一で接続される接続ポート７を複数有している。接続ポート６，７はそれぞれ取り外して洗浄することができる。接続ポート７は、後述する給液路２６と繋がる給液管７ａと、廃液路及び循環路と繋がる吸引管７ｂとを備えており、接続ポート６は、ケース３の内部と連通し、接続ポート７に対応する給液管６ａ，吸引管６ｂとを備えている。なお、ケース３の上面に封止カバーを取り付けてケース３を封止してもよい。
【００１４】
洗浄消毒ユニット４の構成について図３のブロック図を用いて説明する。洗浄消毒ユニット４は、洗浄液タンク２０、貯水タンク２１、消毒液タンク２２、廃液タンク２３、ポンプ２４ａ、２４ｂ、弁２５ａ〜２５ｄ、及び制御部３０を備える。制御部３０は、タンク２０〜２２にそれぞれ貯留された液の供給、またはケース３からの液の排出が重複しないようにポンプ２４ａ、２４ｂ、弁２５ａ〜２５ｄをそれぞれ制御する。また、制御部３０には、操作部３１、表示部３２、タグリーダ３３，メモリ３４が接続されており、操作部３１で行われる操作入力に応じて各部を動作させる。
【００１５】
タンク２０〜２３は、洗浄消毒ユニット４から取り外し可能となっており、各液の種類毎に１つずつ設けられている。ポンプ２４ａは給液ポンプ、２４ｂは廃液ポンプであり、弁２５ａ〜２５ｄは電磁弁で、弁２５ａは四方弁、弁２５ｂ、２５ｃ、２５ｄは三方弁である。洗浄消毒ユニット４にはさらに、各液体が通過する液路として、洗浄液タンク２０、貯水タンク２１、消毒液タンク２２のそれぞれから弁２５ａ、ポンプ２４ａ、弁２５ｂ、接続ポート６，７を介してケース３に到る給液路２６と、ケース３から接続ポート６，７、ポンプ２４ｂ、弁２５ｃ、弁２５ｂ、接続ポート６，７を介してケース３に戻る循環路２７と、循環路２７から弁２５ｃで分岐して、弁２５ｄから消毒液タンク２２に戻る戻し路２８と、廃液タンク２３に到る廃液路２９とがある。
【００１６】
給液路２６は、ポンプ２４ａの下流で分岐し、各接続ポート７に接続されている。さらに、ポンプ２４ｂ、弁２５ｂ、２５ｃ、及び循環路２７は、各接続ポート７毎に設けられている。また、廃液路２９は、各弁２５ｃの下流で１つに合流して弁２５ｄに接続されている。
【００１７】
また、メモリ３４には、洗浄を含む各工程の条件、すなわち処理時間、使用する液体の量などに基づき各部を動作させるためのプログラムが記憶されている。このプログラムは、内視鏡２の固有情報に応じてプログラムＡ，Ｂ，Ｃ・・・等と設定されている。このプログラムとしては例えば、内視鏡２の固有情報が、大腸用など汚れが多く付着する可能性の高い内視鏡を示す固有ＩＤや機種別情報の場合、処理時間を長くしたり、あるいは挿入部の長い内視鏡の場合は、ポンプ２４ａ，２４ｂの出力を上げたりするように設定されている。
【００１８】
制御部３０は、洗浄消毒ユニット４の電源がオンされたとき、ＲＦＩＤタグリーダ３８を動作させる。ＲＦＩＤタグリーダ３８は、内視鏡２のＲＦＩＤタグ５が所定の通信距離、例えば数ｍｍの距離内に入ると、ＲＦＩＤタグ５と交信して固有情報を読み取る。本実施形態では、簡易洗浄処理を行う前に、ＲＦＩＤタグリーダ３８がＲＦＩＤタグ５から固有情報を読み取り、制御部３０は、そのＲＦＩＤタグ５に記憶された固有情報に応じてメモリ３４からプログラムを読み出し、このプログラムに沿って各工程を実行する。なお、ＲＦＩＤタグ５の読み取りが無かった場合は、標準の処理時間や液体の使用量などが設定された標準プログラムで各工程を実行する。
【００１９】
上記構成の作用について説明する。使用済みの内視鏡２をケース３に収容するとともに、接続ポート６，７を互いに接続した後、電源スイッチをオンして簡易洗浄処理の開始が指示されると、制御部３０の制御の下にポンプ２４ａ，２４ｂ、弁２５ａ〜２５ｄ等が作動して洗浄、すすぎ（１回目）、消毒、すすぎ（２回目）、保管の各工程が順次開始される。表１は、これら各工程を行うときのポンプ２４ａ，２４ｂ、弁２５ａ〜２５ｄについての動作パターンの一例を示すものであり、以下、洗浄、すすぎ、消毒、保管の各工程について表１を用いて説明する。
【００２０】
【表１】
0005004772.tif 000002
【００２１】
先ず、洗浄工程を開始するときは、ポンプ２４ａがＯＮとなるとともに、ポンプ２４ｂはＯＦＦとなっており、弁２５ａの洗浄液タンク２０側、貯水タンク２１側及び給液路２６側が開放状態で、消毒液タンク２２側が閉じ状態となる。なお、弁２５ａの洗浄液タンク２０側は、最初は閉じ状態で、貯水タンク２１から水が流れ始めた後、短時間だけ洗浄液タンク２０側も開放状態となり、洗浄液を少し流して閉じ状態となる。また、弁２５ｂの給液路２６側が開放状態で、循環路２７側が閉じ状態となり、さらに弁２５ｃ，２５ｄは全閉状態となる。これによって、洗浄液タンク２０及び貯水タンク２１から給液路２６を通って洗浄液及び水が混合されたものが、各接続ポート６，７の給液管６ａ，７ａを介して各ケース３へと供給される。
【００２２】
ケース３の中がほぼ満たされるまで洗浄液及び水が所定時間供給された後、制御部３０は洗浄液及び水を循環させる制御を行う。この場合、ポンプ２４ａがＯＦＦとなるとともにポンプ２４ｂがＯＮ、弁２５ａが全閉状態、弁２５ｂは給液路２６側が閉じ状態で循環路２７側が開放状態となり、弁２５ｃは、循環路２７側が開放状態で、廃液路２９側が閉じ状態となり、弁２５ｄは全閉状態となる。これによって、ポンプ２４ｂで接続ポート６，７の吸引管６ｂ，７ｂからケース３内の洗浄液及び水が吸引されるともに、吸引された洗浄液及び水が循環路２７を通って再度接続ポート６，７の給液管６ａ，７ａへと送り込まれるので、各ケース３内を洗浄液及び水が循環して内視鏡２が効率良く洗浄される。また洗浄液と水とが、ムラなく混合される。
【００２３】
そして、洗浄液及び水が所定時間循環されると、制御部３０は、洗浄液及び水を廃液させる制御を行う。この場合、弁２５ｂを全閉状態、弁２５ｃを廃液路２９側が開放状態で循環路２７側が閉じ状態とし、弁２５ｄは戻し路２８側が閉じ状態で廃液路２９側が開放状態となるように切り替え制御が行われる。これによって、ポンプ２４ｂでケース３から吸引された洗浄液及び水が廃液路２９を通って廃液タンク２３へと廃液される。この廃液を行うとき、ケース３内のほぼ全ての洗浄液及び水が無くなるまで吸引される。
【００２４】
なお、表１において、すすぎ工程は、弁２５ａの洗浄液タンク２０側が常に閉じ状態となること以外は、洗浄工程と同様であるため、すすぎ工程の動作パターンの記載を省略している。そして、洗浄工程の終了後、すすぎ工程（１回目）では、貯水タンク２１から水がケース３へと供給され、循環し、廃液されるため、各ケース３内に残留した体液や汚物、及び洗浄液が水ですすがれる。
【００２５】
すすぎ工程（１回目）が終了すると、次は消毒工程となる。制御部３０は、消毒工程が開始されるとき、弁２５ａの消毒液タンク２２側及び給液路２６側が開放状態で、その他のタンク２１、２２側が閉じ状態となる以外は、洗浄工程を開始するときと同じ動作パターンで制御を行う。これによって、消毒液タンク２２から給液路２６を通って消毒液が各接続ポート６，７の給液管６ａ，７ａへと送り込まれる。
【００２６】
ケース３の中がほぼ満たされるまで消毒液が所定時間供給された後、制御部３０は消毒液に内視鏡２を浸漬させる制御を行う。この場合、ポンプ２４ａ，２４ｂがともにＯＦＦ、弁２５ａ〜２５ｄが全閉状態となる。これにより、ケース３の中に消毒液が貯留された状態が保持され、消毒液内に浸漬された内視鏡２を消毒することができる。
【００２７】
そして、消毒液に内視鏡２を所定時間浸漬させると、制御部３０は消毒液を消毒液タンク２２に戻す制御を行う。この場合、消毒液に浸漬させるときに対して、ポンプ２４ｂがＯＮ、弁２５ｃの廃液路２９側が開放状態で循環路２７側が閉じ状態となり、弁２５ｄは戻し路２８側が開放状態で廃液路２９側が閉じ状態となるように切り替え制御が行われる。これによって、接続ポート６，７の吸引管６ｂ，７ｂから吸引された消毒液が廃液路２９及び戻し路２８を通って消毒液タンク２２へと戻される。この消毒液の戻しを行うとき、ケース３内のほぼ全ての消毒液が無くなるまで吸引される。
【００２８】
消毒工程終了後は、すすぎ工程（２回目）となり、上述した動作パターンと同様に制御され、各チャンネル内及び内視鏡２の外面に残留した消毒液が水ですすがれる。
【００２９】
消毒工程後のすすぎ工程（２回目）が終了すると、ケース３に水を貯留して内視鏡２を浸漬させる保管工程となる。制御部３０は、保管工程が開始されるとき、弁２５ａが貯水タンク２１側及び給液路２６側と開放状態で、その他のタンク２０、２２側が閉じ状態となる以外は、洗浄・消毒工程を開始するときと同じ動作パターンで制御を行う。これによって、貯水タンク２１から給液路２６を通って各接続ポート６，７の給液管６ａ，７ａへと水が送られる。
【００３０】
ケース３の中がほぼ満たされるまで水が所定時間供給された後、制御部３０は水中に内視鏡２を浸漬させる制御を行う。この場合、ポンプ２４ａ，２４ｂがともにＯＦＦ、弁２５ａ〜２５ｄが全閉状態となる。これにより、ケース３の中に水が貯留された状態が保持され、内視鏡２が水中に浸漬された状態で保管される。この状態で、内視鏡２は、ケース３内に収容されたまま搬送され、専用設備の整ったレンタルセンターなどでリプロセス処理が施される。
【００３１】
上述したように、簡易洗浄システム１を使用することによって、複数の内視鏡２に対する洗浄工程、すすぎ工程、消毒工程、及び保管工程からなるプレ洗浄を効率良く行うことが可能となり、さらに簡易洗浄システム１では、タンク２０〜２３、ポンプ２４ａを洗浄消毒ユニット４にそれぞれ１つずづ設け、これらの部品及び給液路及び廃液路を各ケース３に対して共通使用しているため、省スペース化、及び部品点数を少なくして簡易洗浄システム１のコスト低減を図ることができる。さらに、内視鏡２のプレ洗浄を十分に行い、水が貯留されたケース３の中に内視鏡２が浸漬された状態で保管されるので、プレ洗浄後、リプロセス処理が行われるまでの間に、ある程度の時間が経過していても、内視鏡２に体液や汚物が固着することが無く、さらにリプロセス処理を行うことで確実に汚れを落とすことが可能となる。また、内視鏡２の固有ＩＤを読み取り、プレ洗浄の条件を変更しているので、常に適切な条件でプレ洗浄を行うことができる。
【００３２】
なお、上記実施形態においては、１つの洗浄消毒ユニット４に接続する複数のケース３として箱形状のケース３を使用しているが、本発明はこれに限るものでは無く、図４に示すように、内視鏡２を収容する収容袋５０を簡易洗浄槽として使用してもよい。また、図５に示すように、収容袋５０には、密閉部材５１を一体化しており、例えば、周知のファスナー形状のものや、粘着テープなどからなる。そして、この場合、洗浄消毒ユニット４と収容袋５０との接続は、給液管５３ａ，５４ａ、吸引管５３ｂ，５４ｂをそれぞれ有し、互いに着脱自在としたハーネス５５，５６を洗浄消毒ユニット４と、収容袋５０にそれぞれ設け、これらのハーネス５５，５６を接続することで、洗浄消毒ユニット４と収容袋５０との間で繋がる構成とする。このように収容袋５０を使用することで、ケースを簡易洗浄槽として使用する場合よりも各液体の使用量を削減し、プレ洗浄のランニングコスト低減を図ることができる。
【００３３】
また、簡易洗浄槽として収容袋を使用する場合は、プレ洗浄中に収容袋が破れて液体が流出するおそれがあるため、図６に示すように、複数の収容袋６０をそれぞれケース６１に収容し、この収容袋６０を簡易洗浄槽としてプレ洗浄を行うようにしてもよい。この場合、収容袋６０としては、付加機能を特に有するものでは無く、１回限りの使い捨て、または数回程度の使用に耐え得るものであればよい。あるいは、図７に示すように、１つのケース７１の中に複数の収容袋７０を収容し、この収容袋７０をそれぞれ簡易洗浄槽としてプレ洗浄を行うようにしてもよい。この場合、図６に示す簡易洗浄システムよりも少ないスペースで同じ個数の収容袋を収容してプレ洗浄を行うことができる。なお、このように１つのケースの中に複数の収容袋を収容する場合は、同じ高さに並べる、いわゆる平置き状に収容袋７０を収容してもよいし、収容袋７０を載せる棚７１ａを配置して縦並びで収容袋７０を収容してもよい。
【００３４】
なお、上記実施形態においては、複数の内視鏡を同時に洗浄する場合を例示しているが、本発明はこれに限らず、１つの洗浄ユニットで複数の内視鏡を個別に洗浄する場合にも対応することができる。この場合、上記実施形態の構成では、タンク２０〜２３、ポンプ２４ａなどの部品及び給液路及び廃液路を共通使用しているため、例えば、図８（Ａ）に示すように、ある簡易洗浄槽Ａに洗浄液を供給しているときに、槽Ａとは別の槽Ｂに消毒液を供給するという制御を行うことができない。また、槽Ａが洗浄液を廃液しているときに、槽Ｂから消毒液を戻すことなども不可能である。
【００３５】
そこで、この対策として、図８（Ｂ）に示すように、制御部３０は、異なる液の給液、廃液が重複しないように、槽Ａの工程に対して槽Ｂの工程を遅延させる制御を行う。すなわち、あるケース３で給液以外の工程（循環、廃液、浸漬等）を実施しているとき、これ以外のケース３で他の液体の給液を必要としていない場合は、弁２５ａは全閉、そして、必要となった場合は、ポンプ２４ａがＯＮし、弁２５ａは該当する液体のタンク側の口を開く。あるいは、あるケース３で、廃液、戻し以外の工程を実施しているとき、これ以外のケース３で他の液の廃液、戻しを必要としていない場合は、弁２５ｄは全閉、そして必要となった場合は、その槽に対応するポンプ２４ｂがＯＮし、弁２５ｄは廃液、戻しのうち該当する口を開く。これによって、個別に洗浄する際に遅延させる時間を最小限とすることができるので、巡回健診車などで複数の内視鏡が代わる代わる使用されるような場合に個別のプレ洗浄を効率良く行うことができる。
【００３６】
上記実施形態においては、１つの接続ポート６，７に対して１本ずつの給液管を設け、各液体を簡易洗浄槽へ給液させているが、本発明はこれに限らず、図９に示す簡易洗浄槽としての収容袋８０のように、洗浄消毒ユニット４に繋がれる給液管８３ａ〜８３ｄを分岐させ、内視鏡２の送気・送水、吸引、鉗子チャンネル等の挿通チャンネルに接続して液体を注入させる構成としてもよい。また、この場合、収容袋８０と洗浄消毒ユニット４との接続手段を、各給液管・吸引管８３ａ〜８３ｅをひとまとめにしたハーネス８１、８２とする。これによって、清掃がし難らく、洗浄が行き届かない挿通チャンネル内も確実に洗浄することができる。
【００３７】
ケース３と洗浄消毒ユニット４との接続手段は、接続ポートやハーネスなど、給液管・吸引管をひとまとめにすることが、誤挿入防止及び作業効率の観点から好ましいが、これらに限るものでは無く、それぞれのケース３側、及び洗浄消毒ユニット４側で、どの給液管・吸引管を接続するかが認識できれば良く、例えば、ケース３側及び洗浄消毒ユニット４側の給液管・吸引管にそれぞれ同じ番号を付し、この同じ番号同士の管が互いに対応する給液管・吸引管であると決めていれば、給液管・吸引管を接続するときに容易に認識しやすくなる。あるいは、ケース３側、洗浄消毒ユニット４側の給液管・吸引管に同じ色や目印を付しておくようにしてもよい。
【００３８】
なお、上記実施形態では、洗浄液、貯水、消毒液、廃液の各タンク２０〜２３を洗浄消毒ユニット４に１つずつ備え、各ケース３に対して共通使用しているが、これに限らず、各ケース３ごとに各液体のタンクを設けるようにしてもよく、また給廃液路や、循環路も共通使用せずに、各液体のタンクごとに給廃液路や、循環路を設けてもよい。さらにまた、洗浄消毒ユニットに貯水タンクを設けずに、外部の水道と接続し、水道水を導入する構成でもよい。
【００３９】
なお、上記実施形態においては、洗浄消毒ユニットは洗浄、消毒、すすぎ、保管の各工程を行う機能を有しているが、これに限らず、簡易洗浄槽内のエアーを循環させる乾燥工程や、各チャンネルにアルコール類を少量注入するとともに、エアーを循環させて乾燥させるアルコールフラッシュと呼ばれる工程、簡易洗浄槽内に滅菌ガスを噴射させる滅菌工程などの機能を備えていてもよい。
【００４０】
また、上記実施形態においては、固体撮像素子を用いて被検体の状態を撮像した画像を観察する電子内視鏡を例に上げて説明しているが、本発明はこれに限るものではなく、光学的イメージガイドを採用して被検体の状態を観察する内視鏡の簡易洗浄システムにも適用することができる。
【図面の簡単な説明】
【００４１】
【図１】本発明の内視鏡の簡易洗浄システムの概略図である。
【図２】内視鏡が収容された簡易洗浄槽の斜視図である。
【図３】洗浄消毒ユニットの構成を示すブロック図である。
【図４】簡易洗浄システムの第１変形例を示す概略図である。
【図５】図４の簡易洗浄システムで使用する収容袋の一例を示す平面図である。
【図６】簡易洗浄システムの第２変形例を示す概略図である。
【図７】簡易洗浄システムの第３変形例を示す概略図である。
【図８】複数の内視鏡を個別に洗浄するときの制御の一例を示すタイミングチャートである。
【図９】収容袋を簡易洗浄槽として用いた場合の別の実施例を示す平面図である。
【符号の説明】
【００４２】
１  簡易洗浄システム
２  内視鏡
３  簡易洗浄槽
４  洗浄消毒ユニット
・  接続ポート
２０〜２３  タンク
２４ａ，２４ｂ  ポンプ
２６  給液路
２７  循環路
２９  廃液路
【図１】
0005004772.tif 000003
【図２】
0005004772.tif 000004
【図３】
0005004772.tif 000005
【図４】
0005004772.tif 000006
【図５】
0005004772.tif 000007
【図６】
0005004772.tif 000008
【図７】
0005004772.tif 000009
【図８】
0005004772.tif 000010
【図９】
0005004772.tif 000011